(57)【要約】【課題】液晶表示装置に関し、シフトデータ配線がその他のデータの入力配線と交差しないように構成することを目的とする。【解決手段】液晶表示装置は、液晶パネル１２の一辺に沿って配置され、駆動用ＩＣ２０を有する第１及び第２のフレキシブル基板１８とを備え、液晶パネル１２及び第１及び第２のフレキシブル基板１８は、第１の駆動用ＩＣ２０から出力されるシフトデータの信号が、液晶パネル及び第１のフレキシブル基板を通って信号入力部に戻り、該戻った信号が液晶パネル及び第１及び第２のフレキシブル基板を通って第２の駆動用ＩＣ１８に入力されるように形成されたシフトデータのための配線３２ａ，３２ｂ，３２ｃ：３４ａ，３４ｂを備えた構成とする。【選択図】　　　図２
2004069779.tif 000002
【特許請求の範囲】
【請求項１】
画像を表示する液晶パネルと、
液晶パネルの一辺に沿って配置された少なくとも第１及び第２のフレキシブル基板とを備え、
第１のフレキシブル基板は第１の駆動用ＩＣを有し、第２のフレキシブル基板は第２の駆動用ＩＣを有し、
該液晶パネル及び該第１及び第２のフレキシブル基板はそれぞれ入力配線及び出力配線を有し、液晶パネル及び第１及び第２のフレキシブル基板の入力配線は、信号入力部から供給された信号が、第１及び第２の駆動用ＩＣに入力されるように形成され、液晶パネル及び第１及び第２のフレキシブル基板の出力配線は、第１及び第２の駆動用ＩＣの出力信号が液晶パネルへ出力されるように形成され、
さらに、液晶パネル及び第１及び第２のフレキシブル基板は、第１の駆動用ＩＣから出力されるシフトデータの信号が、液晶パネル及び第１のフレキシブル基板を通って信号入力部に戻り、該戻った信号が液晶パネル及び第１及び第２のフレキシブル基板を通って第２の駆動用ＩＣに入力されるように形成されたシフトデータのための配線を備えていることを特徴とする液晶表示装置。
【請求項２】
液晶パネル及び第１及び第２のフレキシブル基板の入力配線は、第１の駆動用ＩＣの入力端子に接続されるとともに、第１の駆動用ＩＣの入力端子を経由して第２の駆動用ＩＣの入力端子に接続されることを特徴とする請求項１に記載の液晶表示装置。
【請求項３】
該シフトデータのための配線は、信号入力部から第１の駆動用ＩＣの入力端子へと延びる第１のシフトデータ入力配線と、該第１の駆動用ＩＣの出力端子から信号入力部へ延びるシフトデータ出力配線と、信号入力部から第２の駆動用ＩＣへ延びる第２のシフトデータ出力配線とからなることを特徴とする請求項１に記載の液晶表示装置。
【発明の詳細な説明】
【０００１】
【発明の属する技術分野】
本発明は駆動ドライバを含む液晶表示装置に関する。
【０００２】
【従来の技術】
液晶表示装置は、画像を表示する液晶パネルと、液晶パネルの一辺に沿って配置されたプリント基板と、液晶パネルとプリント基板とを接続し、駆動用ＩＣが搭載された複数のフレキシブル基板とを備えている。液晶パネルの一辺に沿ってソースバス電極が設けられ、液晶パネルの他の一辺に沿ってゲートバス電極が設けられる。ここでは、ソースバス電極及びゲートバス電極の一方について、従って液晶パネルの一辺について述べる。
【０００３】
各フレキシブル基板は駆動用ＩＣを有している。入力信号は、信号入力部からプリント基板の入力配線及びフレキシブル基板の入力配線を通って駆動用ＩＣに入力される。駆動用ＩＣは入力信号を液晶駆動信号に変換する。このようにして液晶が駆動される。
【０００４】
このタイプの液晶表示装置においては、プリント基板とフレキシブル基板とが接合され、さらにフレキシブル基板と液晶パネルとが接合される。従って、部品点数が多く、且つ組立作業が面倒になる。そこで、プリント基板を削除することのできる液晶表示装置が提案されている。この場合、プリント基板の入力配線の代わりに、液晶パネルに入力配線が設けられる。液晶パネルの入力配線はフレキシブル基板の入力配線に接続され、フレキシブル基板の入力配線は駆動用ＩＣに接続される。入力信号はこれらの入力配線を通って駆動用ＩＣに入力される。こうして第１の駆動用ＩＣに入力された入力信号は、第１の駆動用ＩＣに入力されるとともに、さらに第２の駆動用ＩＣに入力される。
【０００５】
【発明が解決しようとする課題】
駆動用ＩＣはシフトデータの入力端子及び出力端子を含む。第１の駆動用ＩＣはシフトデータの入力信号を受け、シフトデータの出力信号を出力する。第２の駆動用ＩＣは第１の駆動用ＩＣのシフトデータの出力信号をその入力信号として受ける。さらに、第２の駆動用ＩＣはシフトデータの出力信号を出力する。このようにして各駆動用ＩＣはシフトデータの出力信号を次の駆動用ＩＣへ出力し、全ての駆動用ＩＣが順番に信号を処理していく。
【０００６】
第１の駆動用ＩＣのシフトデータの出力信号を第２の駆動用ＩＣのシフトデータの入力信号として供給するためには、第１の駆動用ＩＣの出力端子と第２の駆動用ＩＣの入力端子とを接続するシフトデータ配線を設ける必要がある。しかし、シフトデータ配線は、その他のデータの入力配線と交差するという問題があった。
【０００７】
本発明の目的はシフトデータ配線がその他のデータの入力配線と交差しないようにした液晶表示装置を提供することを目的とする。
【０００８】
【課題を解決するための手段】
本発明による液晶表示装置は、画像を表示する液晶パネルと、液晶パネルの一辺に沿って配置された少なくとも第１及び第２のフレキシブル基板とを備え、第１のフレキシブル基板は第１の駆動用ＩＣを有し、第２のフレキシブル基板は第２の駆動用ＩＣを有し、該液晶パネル及び該第１及び第２のフレキシブル基板はそれぞれ入力配線及び出力配線を有し、液晶パネル及び第１及び第２のフレキシブル基板の入力配線は、信号入力部から供給された信号が、第１及び第２の駆動用ＩＣに入力されるように形成され、液晶パネル及び第１及び第２のフレキシブル基板の出力配線は、第１及び第２の駆動用ＩＣの出力信号が液晶パネルへ出力されるように形成され、さらに、液晶パネル及び第１及び第２のフレキシブル基板は、第１の駆動用ＩＣから出力されるシフトデータの信号が、液晶パネル及び第１のフレキシブル基板を通って信号入力部に戻り、該戻った信号が液晶パネル及び第１及び第２のフレキシブル基板を通って第２の駆動用ＩＣに入力されるように形成されたシフトデータのための配線を備えていることを特徴とするものである。
【０００９】
この構成によれば、シフトデータの配線がその他のデータの入力配線と交差しないようにした液晶表示装置が得られる。
【００１０】
【発明の実施の形態】
以下本発明の実施例について図面を参照して説明する。
【００１１】
図１は本発明の実施例の液晶表示装置を示す図である。液晶表示装置１０は、画像を表示する液晶パネル１２を含む。液晶パネル１２は一対のガラス基板の間に液晶を挟持してなる。一対のガラス基板のうちの一方の基板はＴＦＴ基板であり、多数の画素電極と、ＴＦＴと、縦横に延びるバスラインとを含む。ゲートバスラインは図１において水平方向に延び、ソースバスラインは図１において垂直方向に延びる。
【００１２】
液晶表示装置１０は、液晶パネル１２の一辺に沿って配置されたゲート駆動部１４と、ソース駆動部１６とを備える。ゲート駆動部１４は複数のフレキシブル基板１８を含み、ソース駆動部１６は複数のフレキシブル基板１８を含む。各フレキシブル基板１８は駆動用ＩＣ（ＩＣチップ）２０を有する。各フレキシブル基板１８は、液晶パネル１２の一辺に沿って配置され、異方性導電性接着剤（ＡＣＦ）により液晶パネル１２に接合される。図１においては、ゲート側に２つのフレキシブル基板１８が示され、ソース側に３つのフレキシブル基板１８が示されている。しかし、これは例として示すためのものであって、フレキシブル基板１８の数はこの例のものに限定されるものではない。
【００１３】
入力基板２２がゲート駆動部１４とソース駆動部１６の間に配置される。入力基板２２は配線を有するプリント基板であり、図示しない制御回路に接続されて画像形成のための入力信号を駆動用ＩＣ２０に入力するためのものである。
【００１４】
液晶パネル１２は入力配線２４及び出力配線２６を有する。入力基板２２の配線は、それの近くに位置するゲート側及びソース側の液晶パネル１２の入力配線２４に接続される。フレキシブル基板１８は入力配線２８及び出力配線３０を有する。液晶パネル１２の入力配線２４とフレキシブル基板１８の入力配線２８とは連続し、フレキシブル基板１８の入力配線２８は駆動用ＩＣ２０の入力端子に接続される。液晶パネル１２の出力配線２６とフレキシブル基板１８の出力配線３０とは連続し、フレキシブル基板１８の出力配線３０は駆動用ＩＣ２０の出力端子に接続され、液晶パネル１２の出力配線２６がバスラインに接続される。
【００１５】
図２は図１の液晶表示装置１０のソース駆動部１６の部分を示す詳細図であり、図３は図２の部分拡大図である。図２及び図３の駆動用ＩＣ２０の形状は入力配線２４，２８を分かりやすく示すために図１のものとは形状を変えて示してある。以下ソース駆動部１６について説明するが、ゲート駆動部１４についても同様である。図２及び図３において、左側に位置するフレキシブル基板１８及び駆動用ＩＣ２０を第１のフレキシブル基板１８及び第１の駆動用ＩＣ２０と呼び、その隣に位置するものを第２のフレキシブル基板１８及び第２の駆動用ＩＣ２０と呼ぶことにする。
【００１６】
入力配線２４，２８は電源ライン２４ａ及び信号ライン２４ｂを含む。電源ライン２４ａ及び信号ライン２４ｂの実際の数は図示のものよりも多く、数十本ある。出力配線２６，３０は数１００本の出力ラインを含む。
【００１７】
さらに、シフトデータの信号を入力するための入力配線（シフトデータ入力配線）３２ａ，３２ｂ，３２ｃが入力配線２４，２８の列の中に配置されている。さらに、シフトデータの信号を戻すための出力配線（シフトデータ出力配線）３４ａ，３４ｂが入力配線２４，２８の列の中に配置されている。
【００１８】
図４はフレキシブル基板１８を示す断面図である。フレキシブル基板１８はＣＯＦ（チップオンフィルム）構造として構成される。すなわち、フレキシブル基板１８は、ベースフィルム４０と、ベースフィルム４０の上に配置された導体パターン４２と、導体パターン４２を覆うソルダレジスト４４とからなる。導体パターン４２は入力配線２８及び出力配線３０を含む。駆動用ＩＣ２０はソルダレジスト４４の開口部において導体パターン４２に接合され、樹脂４６がベースフィルム４０と駆動用ＩＣ２０との間に挿入される。駆動用ＩＣ２０は入力端子２０Ａ及び出力端子２０Ｂを有する。図４は入力端子２０Ａを通る断面図であり、導体パターン４２は入力配線２８の導体ラインの１つ（電源ライン２４ａ及び信号ライン２４ｂの１つ）を示している。
【００１９】
図３及び図４において、第１のフレキシブル基板１８において、図の左側から第１の駆動用ＩＣ２０へ向かって延びる入力配線２８は、第１の駆動用ＩＣ２０の下を通って第１の駆動用ＩＣ２０の入力端子２０Ａに接続される。従って、第１の駆動用ＩＣ２０はこの入力信号を受けて作動する。
【００２０】
入力配線２８は第１の駆動用ＩＣ２０の入力端子２０Ａからさらに第１の駆動用ＩＣ２０の外側へ延び、液晶パネル１２の入力配線２４に接続される。液晶パネル１２の入力配線２４は第２のフレキシブル基板１８の入力配線２８に接続され、第２のフレキシブル基板１８の第２の駆動用ＩＣ２０へ向かって延びる。入力配線２８は、第２の駆動用ＩＣ２０の下を通って第２の駆動用ＩＣ２０の入力端子２０Ａに接続される。従って、第２の駆動用ＩＣ２０はこの入力信号を受けて作動する。さらに、入力配線２８は、以下順次に次のフレキシブル基板１８の駆動用ＩＣ２０の入力端子２０Ａに接続される。
【００２１】
図２及び図３において、駆動用ＩＣ２０の入力端子２０Ａの列は示されているが、バスラインに接続される駆動用ＩＣ２０の出力端子２０Ｂの列は示されていない。ただし、入力端子２０Ａの列の中に１つだけシフトデータ用出力端子２０Ｃが示されている。シフトデータ出力配線３４ａは第１の駆動用ＩＣ２０の出力端子２０Ｃに接続される。シフトデータ出力配線３４ｂは第２の駆動用ＩＣ２０の出力端子２０Ｃに接続される。
【００２２】
シフトデータ入力配線３２ａは、第１の駆動用ＩＣ２０の（図３の左から３番目の）入力端子２０Ａに接続される。シフトデータ入力配線３２ａは第１の駆動用ＩＣ２０の入力端子２０Ａで終端する。他のシフトデータ入力配線３２ｂ，３２ｃは第１の駆動用ＩＣ２０の入力端子２０Ａに接続されず、第１の駆動用ＩＣ２０を通過する。
【００２３】
第１の駆動用ＩＣ２０の作動の終わりに、第１の駆動用ＩＣ２０は出力端子２０Ｃから第２の駆動用ＩＣ２０に向かってシフトデータの信号を送る。しかし、シフトデータの信号を送るための配線は、第１の駆動用ＩＣ２０から第２の駆動用ＩＣ２０へ直接に接続されるように形成されたものではない。もしシフトデータの信号を送るための配線が、第１の駆動用ＩＣ２０から第２の駆動用ＩＣ２０へ直接に接続されるように形成しようとすると、その配線は他の入力配線２８と交差させなければならないので、不都合である。
【００２４】
第１の駆動用ＩＣ２０のシフトデータの信号は、出力端子２０Ｃからシフトデータ出力配線３４ａを通って入力基板２２へ戻される。図５は戻されたシフトデータの信号の処理を説明する図である。入力基板２２へ戻された信号ａは制御基板３６において入力信号ｂとして再度入力基板２２へ入力される。この入力信号ｂはシフトデータ入力配線３２ｂを通り、第１の駆動用ＩＣ２０を通過する。シフトデータ入力配線３２ｂはさらに第１のフレキシブル基板１８、液晶パネル２０、及び第２のフレキシブル基板１８に連続的に形成されており、第２の駆動用ＩＣ２０の（図３の左から３番目の）入力端子２０Ａに接続される。シフトデータ入力配線３２ｂは第２の駆動用ＩＣ２０の入力端子２０Ａで終端する。他のシフトデータ入力配線３２ｃは第２の駆動用ＩＣ２０の入力端子２０Ａに接続されず、第２の駆動用ＩＣ２０を通過する。
【００２５】
第２の駆動用ＩＣ２０の作動の終わりに、第２の駆動用ＩＣ２０は出力端子２０Ｃから第３の駆動用ＩＣ２０に向かってシフトデータの信号を送る。このシフトデータの信号は、出力端子２０Ｃからシフトデータ出力配線３４ｂを通って入力基板２２へ戻される。シフトデータ出力配線３４ｂは第１駆動用ＩＣ２０を通過する。戻されたシフトデータの信号は図５の制御基板により入力信号として再度入力基板２２へ入力される。この入力信号はシフトデータ入力配線３２ｃを通り、第１の駆動用ＩＣ２０及び第２の駆動用ＩＣ２０を通過して、第３の駆動用ＩＣ２０の（図３の左から３番目の）入力端子２０Ａに接続される。
【００２６】
以上のように構成された液晶表示装置１０では、全ての駆動用ＩＣ２０は同じ構成をもつものとすることができる。また、ゲート駆動部１４及びソース駆動部１６の両方をこのように構成する必要はなく、ゲート駆動部１４及びソース駆動部１６の一方をこのように構成してもよい。
【００２７】
【発明の効果】
以上説明したように、本発明によれば、シフトデータの配線がその他のデータの入力配線と交差しないようにした液晶表示装置を得ることができる。
【図面の簡単な説明】
【図１】本発明の実施例の液晶表示装置を示す図である。
【図２】図１の液晶表示装置のソース駆動部の部分を示す詳細図である。
【図３】図２の部分拡大図である。
【図４】フレキシブル基板を示す断面図である。
【図５】戻されたシフトデータの信号の処理を説明する図である。
【符号の説明】
１２…液晶パネル
１４…ゲート駆動部
１６…ソース駆動部
１８…フレキシブル基板
２０…駆動用ＩＣ
２２…入力基板
２４…入力配線
２６…出力配線
２８…入力配線
３０…出力配線
３２ａ，３２ｂ，３２ｃ…シフトデータ入力配線
３４ａ，３４ｂ…シフトデータ出力配線
【図１】
2004069779.tif 000003
【図２】
2004069779.tif 000004
【図３】
2004069779.tif 000005
【図４】
2004069779.tif 000006
【図５】
2004069779.tif 000007